(57)【要約】【課題】本発明の目的は、一側面では、簡易な構成で底板の隅部からの液漏れを防止可能な包装箱を提供することである。【解決手段】本発明の一側面に係る包装箱は、矩形状の底板、及び底板の四側縁にそれぞれ連結された４つの側壁によって収納物の収納空間を形成する箱本体と、４つの側壁のうち少なくともいずれかの隣接する２つの側壁の間に配置される、一方の側壁の端縁から延びる延長片と、を備える。延長片は、底板の隅部に当接する角部と、角部を二分する折れ線部と、他方の側壁側の端縁から折れ線部に向けて延びる切り込み部と、を有する。また、延長片は、他方の側壁側の端縁のうち、角部から切り込み部までの間の領域を他方の側壁の端縁に連結する連結領域とし、その他の領域を他方の側壁の端縁から切り離される非連結領域とすることで、一方の側壁の端縁に沿って折り曲げて箱本体を組み立てる場合に、他方の側壁に重なるように形成されている。【選択図】図１
2015205709.tif 000002
【特許請求の範囲】
【請求項１】
矩形状の底板、該底板の前後方向の前側に連結された前側壁、該底板の前後方向の後側に連結された後側壁、該底板の左右方向の右側に連結された右側壁、及び該底板の左右方向の左側に連結された左側壁を有し、該底板及び該４つの側壁によって収納物の収納空間を形成する箱本体と、
前記４つの側壁のうちの少なくともいずれかの隣接する２つの側壁の間に配置される延長片であって、一方の側壁の端縁から延びる延長片と、を備え、
前記延長片は、
前記底板の隅部に当接する角部と、該角部を二分する折れ線部と、他方の側壁側の端縁から該折れ線部に向けて延びる切り込み部と、を有し、
前記他方の側壁側の端縁のうち、前記角部から前記切り込み部までの間の領域を前記他方の側壁の端縁に連結する連結領域とし、その他の領域を前記他方の側壁の端縁から切り離される非連結領域とすることで、前記一方の側壁の端縁に沿って折り曲げて前記箱本体を組み立てる場合に、前記他方の側壁に重なるように形成されている、
包装箱。
【請求項２】
前記４つの側壁のうち少なくともいずれか対向する一対の側壁それぞれに前記延長片が設けられ、
前記一対の側壁に設けられる延長片はそれぞれ、互いに連結可能なように、対向する端部において係合溝を有する、
請求項１に記載の包装箱。
【請求項３】
前記箱本体は、前記延長片が前記他方の側壁に接着されることで、組み立てられる、
請求項１又は２に記載の包装箱。
【請求項４】
前記延長片は、前記延長片は、前記折れ線部から前記他方の側壁側の一部分が前記他方の側壁に接着する接着部分として構成され、該接着部分を除いたその他の部分が前記他方の側壁に接着しない非接着部分として構成される、
請求項３に記載の包装箱。
【請求項５】
請求項１から４のいずれか１項の包装箱を作成するための箱原板。
【発明の詳細な説明】
【技術分野】
【０００１】
本発明は、包装箱及び箱原板の技術に関する。
【背景技術】
【０００２】
矩形状の底板に連結された側壁を折り立てることで形成される包装箱では、隣接する側壁の間に位置する底板の隅部に隙間が生じ、収納物から生じた液体がその隙間から漏れてしまう可能性がある。このような液漏れを防止する包装箱として、例えば、特許文献１及び２で例示される包装箱が提案されている。
【０００３】
例えば、特許文献１では、方形の底板、及びその底板の四側縁にそれぞれ連設された４つの内外二重壁部からなる包装箱が提案されている。この包装箱では、隣接する一方の側壁の外壁部に連結片が設けられている。そして、この包装箱は、他方の側壁の内外壁部の間にこの連結片を挿入し固定することで、組み立てられる。このような包装箱において液漏れを防止するために、特許文献１では、隣接する両側壁の内壁部の間に、隣接する側壁及び底板の隅部を繋げる折込片（液漏れ防止片）を設けることが開示されている。すなわち、特許文献１に係る包装箱では、この折込片が底板の隅部及び両側壁の間を塞ぐことで、収納物の液漏れを防止することができる。
【０００４】
また、例えば、特許文献２では、四角形状の底板、及びその底板の四側縁にそれぞれ連設された４つの側壁からなる包装箱が提案されている。この包装箱では、隣接する両側壁のうち一方の側壁の端縁の上半分に貼着片が設けられている。そして、この包装箱は、この貼着片を他方の側壁に貼着することで、組み立てられる。このような包装箱において液漏れを防止するために、特許文献２では、隣接する両側壁の端縁の下半分を繋ぐように折込片を設けることが開示されている。すなわち、特許文献２に係る包装箱では、特許文献１と同様に、この折込片が底板の隅部及び両側壁の間を塞ぐことで、収納物の液漏れを防止することができる。
【先行技術文献】
【特許文献】
【０００５】
【特許文献１】特開平１１−２９２０５３号公報
【特許文献２】特開２００８−１８４２１５号公報
【発明の概要】
【発明が解決しようとする課題】
【０００６】
特許文献１及び２で例示されるように、従来の包装箱では、連結片、貼着片等の延長片と折込片とが別々に構成されている。すなわち、従来の包装箱では、側壁の端縁から延びて、箱本体の形成に利用される延長片とは別に、液漏れを防止するための折込片が設けられている。そのため、側壁の端縁から延びる部分の構成が複雑であるという問題点があった。
【０００７】
本発明は、一側面では、このような点を考慮してなされたものであり、簡易な構成で底板の隅部からの液漏れを防止可能な包装箱を提供することを目的とする。
【課題を解決するための手段】
【０００８】
本発明は、上述した課題を解決するために、以下の構成を採用する。
【０００９】
すなわち、本発明の一側面に係る包装箱は、矩形状の底板、該底板の前後方向の前側に連結された前側壁、該底板の前後方向の後側に連結された後側壁、該底板の左右方向の右側に連結された右側壁、及び該底板の左右方向の左側に連結された左側壁を有し、該底板及び該４つの側壁によって収納物の収納空間を形成する箱本体と、前記４つの側壁のうちの少なくともいずれかの隣接する２つの側壁の間に配置される延長片であって、一方の側壁の端縁から延びる延長片と、を備える。そして、前記延長片は、前記底板の隅部に当接する角部と、該角部を二分する折れ線部と、他方の側壁側の端縁から該折れ線部に向けて延びる切り込み部と、を有する。また、前記延長片は、前記他方の側壁側の端縁のうち、前記角部から前記切り込み部までの間の領域を前記他方の側壁の端縁に連結する連結領域とし、その他の領域を前記他方の側壁の端縁から切り離される非連結領域とすることで、前記一方の側壁の端縁に沿って折り曲げて前記箱本体を組み立てる場合に、前記他方の側壁に重なるように形成されている。
【００１０】
当該構成に係る包装箱の箱本体は、矩形状の底板、及び当該底板の四辺にそれぞれ連結された４つの側壁により形成される。また、４つの側壁のうち少なくともいずれかの隣接する２つの側壁の間には、一方の側壁の端縁から延びる延長片が配置される。当該構成によれば、この延長片には、他方の側壁側の端縁から延びる切り込み部が設けられている。そして、延長片の他方の側壁側の端縁では、底板の隅部に当接する角部からこの切り込み部までの領域は他方の側壁の端縁に連結しており、切り込み部から先の領域は他方の側壁の端縁から切り離されている。これにより、延長片は、一方の側壁の端縁に沿って折り曲げた場合に、他方の側壁に重なるように形成されている。
【００１１】
より詳細には、延長片の一部（連結領域）が他方の側壁の端縁に連結されているため、一方の側壁の端縁に沿って延長片を折り曲げると、連結領域を含む延長片の一部が角部を二分する折れ線部と他方の側壁の端縁とに沿って折り曲げられる。これにより、この連結領域を含む延長片の一部は、延長片の他の領域と他方の側壁との間に折り込まれた状態になる。
【００１２】
ここで、この連結領域を含む延長片の一部は、隣接する２つの側壁と底板の隅部との間を塞いでいる。したがって、当該構成によれば、延長片の一部に液漏れを防止する部分が形成されるため、箱本体の形成に利用される延長片と液漏れを防止する折込片とを別々に構成する必要がなくなる。そのため、簡易な構成で底板の隅部からの液漏れを防止可能な包装箱を提供することができる。
【００１３】
また、上記一側面に係る包装箱の別の形態として、前記４つの側壁のうち少なくともいずれか対向する一対の側壁それぞれに前記延長片が設けられてもよい。そして、前記一対の側壁に設けられる延長片はそれぞれ、互いに連結可能なように、対向する端部において係合溝を有してもよい。当該構成によれば、一対の側壁に設けられる延長片を互いに係合させることで、箱本体の組み立てを行うことができる。したがって、当該構成によれば、少なくとも箱本体の一部の領域について接着剤を用いずに組み立てを行うことができる。
【００１４】
また、上記一側面に係る包装箱の別の形態として、前記箱本体は、前記延長片が前記他方の側壁に接着されることで、組み立てられてもよい。当該構成によれば、一方の側壁から延びる延長片を貼着片として利用することができる。すなわち、貼着片として利用される延長片の一部に液漏れを防止する部分を形成することができる。
【００１５】
また、上記一側面に係る包装箱の別の形態として、前記延長片は、前記延長片は、前記折れ線部から前記他方の側壁側の一部分が前記他方の側壁に接着する接着部分として構成され、該接着部分を除いたその他の部分が前記他方の側壁に接着しない非接着部分として構成されてもよい。当該構成によれば、折れ線部から他方の側壁側の一部分が接着されるものの、この接着部分を除くその他の部分は他方の側壁に接着されない。そのため、延長片の接着部分を他方の側壁に接着した後であっても、折れ線部から一方の側壁側の領域は、固定されておらず、当該他方の側壁から離れるように当該折れ線部に沿って折り畳むことができる。これにより、当該構成によれば、延長片を他方の側壁に接着し、箱本体を組み立てた後であっても、一方の側壁とともに延長片を省スペースとなるように折り畳むことができる。
【００１６】
また、上記一側面に係る包装箱の別の形態として、本発明の一側面に係る箱原板は、上記各形態の包装箱を作成するための箱原板である。当該構成によれば、簡易な構成で底板の隅部からの液漏れを防止可能な包装箱を提供することができる。なお、箱原板は、包装箱を作成するための紙片であり、例えば、包装箱の組み立てられる前の状態（展開状態）を指す。
【発明の効果】
【００１７】
本発明によれば、簡易な構成で底板の隅部からの液漏れを防止可能な包装箱を提供することができる。
【図面の簡単な説明】
【００１８】
【図１】図１は、実施の形態に係る包装箱の展開した状態（箱原板）を例示する。
【図２】図２は、実施の形態に係る包装箱の正面から見た状態を例示する。
【図３】図３は、実施の形態に係る包装箱の横から見た状態を例示する。
【図４】図４は、変形例に係る包装箱の展開した状態（箱原板）を例示する。
【図５】図５は、変形例に係る包装箱の正面から見た状態を例示する。
【図６】図６は、変形例に係る包装箱の横から見た状態を例示する。
【図７】図７は、変形例に係る包装箱の折り畳んだ状態を例示する。
【図８】図８は、変形例に係る包装箱の展開した状態（箱原板）を例示する。
【発明を実施するための形態】
【００１９】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
【００２０】
§１  構成例
ここでは、図１〜図３を用いて、本実施形態に係る包装箱１の構成例を説明する。図１は、本実施形態に係る包装箱１を展開した状態（箱原板１０）を例示する。図２は、本実施形態に係る包装箱１の正面から見た状態を例示する。図３は、本実施形態に係る包装箱１の横から見た状態を例示する。なお、図２及び図３は、箱原板１０を組み立てて形成した包装箱１を開封した場面を例示している。
【００２１】
本実施形態に係る包装箱１は、惣菜等の食品を収納するために利用される。ただし、包装箱１の収納物は、これらの例に限定される訳ではなく、実施の形態に応じて適宜選択されてよい。図１で例示される、予め裁断された紙製の平坦な箱原板１０を折り曲げることで、図２及び図３に示すような直方体状の包装箱１が形成される。この箱原板１０（包装箱１）は、コートボール紙、カード紙等の紙を主な原料として作製されてよい。また、包装箱１の内側になる面には、フィルム等の膜材を覆うことによる防水加工が施されてもよい。なお、箱原板１０から包装箱１を組み立てる方法については後述で詳細に説明する。
【００２２】
（底板及び側壁）
まず、包装箱１の底板１１及び各側壁１２〜１５について説明する。包装箱１は、図１〜図３に例示されるように、矩形状の底板１１を備えている。そして、底板１１の前後方向の前側の端縁（折れ線Ｌ１）には矩形状の前側壁１２が連結されており、後側の端縁（折れ線Ｌ２）には矩形状の後側壁１３が連結されている。また、底板１１の左右方向の右側の端縁（折れ線Ｌ３）には矩形状の右側壁１４が連結されており、左側の端縁（折れ線Ｌ４）には矩形状の左側壁１５が連結されている。すなわち、本実施形態に係る包装箱１では、底板１１の４辺に４つの側壁１２〜１５がそれぞれ連設されている。なお、図１の左右方向は本発明の「前後方向」に相当し、図１の上下方向は本発明の「左右方向」に相当する。前側壁１２の形状と後側壁１３の形状とは互いに対応しており、右側壁１４の形状と左側壁１５の形状とは互いに対応している。
【００２３】
これら底板１１及び各側壁１２〜１５によって包装箱１の箱本体が構成される。具体的には、各側壁１２〜１５を各折れ線Ｌ１〜Ｌ４に沿って折り曲げることで、底板１１及び各側壁１２〜１５によって囲まれる直方体状の収納空間を有する箱本体が形成される。この箱本体の収納空間には、上述した食品等の収納物が収納される。
【００２４】
ここで、包装箱１の各方向の長さについて説明する。図１で例示される箱原板１０において、前側壁１２及び後側壁１３の幅（図１の左右方向の長さ）は、右側壁１４及び左側壁１５の幅（図１の上下方向の長さ）と同じであり、包装箱１の高さに相当する。また、前側壁１２及び後側壁１３の長手方向の長さ（図１の上下方向の長さ）は、底板１１の長手方向の長さ（図１の上下方向の長さ）と同じであり、包装箱１の横方向の長さに相当する。更に、右側壁１４及び左側壁１５の長手方向の長さ（図１の左右方向の長さ）は、底板１１の短手方向の長さ（図１の左右方向の長さ）と同じであり、包装箱１の縦方向の長さに相当する。本実施形態では、このように包装箱１の各方向の長さが規定されて、直方体状の包装箱１が形成される。包装箱１の各方向の長さは、収納される収納物等の大きさに応じて適宜設定されてもよい。
【００２５】
（蓋板及び内蓋）
次に、包装箱１の蓋板１６及び２つの内蓋（２５、２６）について説明する。図１及び図３で例示されるように、後側壁１３の上端（図１の左側の端縁、折れ線Ｌ９）には、底板１１の形状に対応する蓋板１６が連結している。また、蓋板１６の後側壁１３と反対側の端縁には差込片２４が連結している。これに対応して、切断線（Ｓ７、Ｓ８）に沿って切断されることで形成される一対の湾曲したスリット１２１が前側壁１２に設けられている。この差込片２４を一対のスリット１２１に差し込むことで、包装箱１に封をすることができる。なお、本実施形態では、差込片２４は、差込側の端縁の両端が切欠いた形状になっている。これにより、一対のスリット１２１に差込片２４が差し込みやすくなっている。
【００２６】
また、図１〜図３で例示されるように、包装箱１は、２つの内蓋（２５、２６）を備えている。以下の説明では、説明の便宜のため、これら２つの内蓋（２５、２６）をそれぞれ第１内蓋２５及び第２内蓋２６とも称する。第１内蓋２５は右側壁１４の上端（図１の上側の端縁、折れ線Ｌ１２）に連結しており、第２内蓋２６は左側壁１５の上端（図１の下側の端縁、折れ線Ｌ１５）に連結している。これにより、包装箱１に封をした場合に、２つの内蓋（２５、２６）は、蓋板１６よりも包装箱１の内側に配置されるように構成されている。
【００２７】
（延長片）
次に、包装箱１の延長片（２０、２１）について説明する。図１〜図３で例示されるように、本実施形態に係る包装箱１は２つの延長片（２０、２１）を備えている。以下の説明では、説明の便宜のため、２つの延長片（２０、２１）をそれぞれ第１延長片２０及び第２延長片２１とも称する。２つの延長片（２０、２１）は、後側壁１３側に設けられており、それぞれ本発明の「延長片」に相当する。
【００２８】
第１延長片２０は、後側壁１３及び右側壁１４の隣接する端縁間に配置されている。具体的には、第１延長片２０は、折れ線Ｌ１０を介して右側壁１４の端縁に連結している。そして、図１で例示される包装箱１の展開状態では、第１延長片２０は、右側壁１４の端縁から、後側壁１３及び蓋板１６の端縁に沿って延びている。すなわち、第１延長片２０に関して、右側壁１４が本発明の「一方の側壁」に相当し、後側壁１３が本発明の「他方の側壁」に相当する。
【００２９】
また、第１延長片２０は、底板１１の隅部Ａと当接する角部２０１と、この角部２０１を二分する折れ線Ｌ１７を有している。この折れ線Ｌ１７は、本発明の「折れ線部」に相当する。更に、第１延長片２０には、後側壁１３側の端縁（切断線Ｓ１及び折れ線Ｌ７）から延びる切断線Ｓ２が、折れ線Ｌ１７の角部２０１と反対側の端部に連結するように設けられている。切断線Ｓ２の角度及び配置は、実施の形態に応じて適宜調節されてもよい。なお、切断線Ｓ２の後側壁１３側の端部の配置は、後側壁１３の下端（折れ線Ｌ２）及び上端（折れ線Ｌ９）の間で調節される。この切断線Ｓ２に沿って第１延長片２０を部分的に切断することで、後側壁１３側の端縁から折れ線Ｌ１７に向けて延びる切り込み部２０３が形成される。
【００３０】
そして、この第１延長片２０の後側壁１３側の端縁では、角部２０１から切り込み部２０３までの間の領域は、折れ線Ｌ７を介して後側壁１３の端縁に連結している。一方、切り込み部２０３を境に角部２０１と反対側の領域は、切断線Ｓ１によって後側壁１３の端縁から切り離される。更に、この領域は、切断線Ｓ２によって蓋板１６の端縁から切り離される。
【００３１】
なお、説明の便宜のため、以下の説明では、折れ線Ｌ７、折れ線Ｌ１７及び切断線Ｓ２（切り込み部２０３）により画定される領域を連結部２０２と称し、第１延長片２０の連結部２０２以外の領域をフラップ部２０４と称する。折れ線Ｌ７を介して後側壁１３の端縁に連結する連結部２０２の領域が本発明の「連結領域」に相当し、切断線Ｓ１によって後側壁１３の端縁から切り離されるフラップ部２０４の領域が本発明の「非連結領域」に相当する。フラップ部２０４は、折れ線Ｌ１０を介して右側壁１４の端縁に連結しており、かつ、折れ線Ｌ１７を介して連結部２０２と連結している。
【００３２】
第２延長片２１は、第１延長片２０とほぼ同様の構成を有する。具体的には、第２延長片２１は、後側壁１３及び左側壁１５の隣接する端縁間に配置されており、折れ線Ｌ１３を介して左側壁１５の端縁に連結している。そして、包装箱１の展開状態では、この第２延長片２１は、左側壁１５の端縁から、後側壁１３及び蓋板１６の端縁に沿って延びている。すなわち、第２延長片２１に関して、左側壁１５が本発明の「一方の側壁」に相当し、後側壁１３が本発明の「他方の側壁」に相当する。
【００３３】
また、第２延長片２１は、底板１１の隅部Ｂと当接する角部２１１と、角部２１１を二分する折れ線Ｌ１８と、後側壁１３側の端縁（切断線Ｓ４及び折れ線Ｌ８）から延びる切断線Ｓ５と、を有している。切断線Ｓ５の角度及び配置は、切断線Ｓ２と同様に、実施の形態において適宜調節されてもよい。この切断線Ｓ５に沿って第２延長片２１を部分的に切断することで、後側壁１３側の端縁から折れ線Ｌ１８に向けて延びる切り込み部２１３が形成される。
【００３４】
そして、この第２延長片２１の後側壁１３側の端縁では、角部２１１から切り込み部２１３までの間の領域、換言すると、連結部２１２の領域は、本発明の「連結領域」に相当し、折れ線Ｌ８を介して後側壁１３の端縁に連結している。一方、切り込み部２１３を境に角部２１１と反対側の領域、換言すると、フラップ部２１４の領域は、本発明の「非連結領域」に相当し、切断線Ｓ４によって後側壁１３から切り離される。なお、第１延長片２０と同様に、フラップ部２１４は、切断線Ｓ６によって蓋板１６から切り離される。また、フラップ部２１４は、折れ線Ｌ１３を介して左側壁１５の端縁に連結しており、かつ、折れ線Ｌ１８を介して連結部２１２と連結している。
【００３５】
図２及び図３で例示されるように、本実施形態に係る包装箱１は、第１延長片２０を折れ線Ｌ１０に沿って折り曲げ、第２延長片２１を折れ線Ｌ１３に沿って折り曲げることで組み立てられる。ここで、第１延長片２０を折れ線Ｌ１０に沿って折り曲げた場合、連結部２０２は、後側壁１３の端縁に連結しているため、折れ線Ｌ７及び折れ線Ｌ１７に沿って折り曲げられ、フラップ部２０４と後側壁１３との間に折り込まれた状態になる。
【００３６】
第２延長片２１を折れ線Ｌ１３に沿って折り曲げた場合も同様に、連結部２１２は、後側壁１３の端縁に連結しているため、折れ線Ｌ８及び折れ線Ｌ１８に沿って折り曲げられ、フラップ部２１４と後側壁１３との間に折り込まれた状態になる。図３は、フラップ部２１４と後側壁１３との間に連結部２１２が折り込まれた状態を例示している。これにより、両延長片（２０、２１）は、包装箱１の外部にはみ出す部分を生じさせずに、後側壁１３に重なるように、折れ線Ｌ１０及び折れ線Ｌ１３に沿って折れ曲がることができる。
【００３７】
したがって、包装箱１を組み立てた状態であっても、連結部２０２は、両側壁（１３、１４）及び隅部Ａの間を塞いでいる。同様に、連結部２１２は、両側壁（１３、１５）及び隅部Ｂの間を塞いでいる。そのため、各延長片（２０、２１）は、各隅部（Ａ、Ｂ）からの液漏れを防止することができる。
【００３８】
なお、第１延長片２０及び第２延長片２１の互いに対向する端部には係合溝（２０５、２１５）が設けられている。より詳細には、第１延長片２０では、上端（図１の上側の端縁）側に開く係合溝２０５が設けられている。一方、第２延長片２１では、下端（図１の上側の端縁）側に開く係合溝２１５が設けられている。そして、両係合溝（２０５、２１５）はそれぞれ、両延長片（２０、２１）をそれぞれの折れ線（Ｌ１０、Ｌ１３）に沿って折り曲げたときに、互いに重なる位置に設けられている。
【００３９】
これにより、両係合溝（２０５、２１５）を互いに係合させ、両延長片（２０、２１）を互いに連結することができる。そうすると、両延長片（２０、２１）の連結を解除しない限りは、両延長片（２０、２１）をそれぞれ折れ線（Ｌ１０、Ｌ１３）に沿って折り曲げた状態が維持される。すなわち、本実施形態では、両延長片（２０、２１）を互いに連結することで、包装箱１の組み立てた状態を維持することができる。
【００４０】
なお、両係合溝（２０５、２１５）の位置、大きさ、形状等は、両延長片（２０、２１）を互いに連結可能なように、実施の形態に応じて適宜調節されてよい。右側壁１４及び左側壁１５は、本発明の「対向する一対の側壁」に相当する。ただし、「対向する一対の側壁」は、本実施形態の例に限定されず、前側壁１２及び後側壁１３であってもよい。
【００４１】
（折込片）
次に、包装箱１の折込片（２２、２３）について説明する。図１〜図３で例示されるように、本実施形態に係る包装箱１は２つの矩形状の折込片（２２、２３）を備えている。以下の説明では、説明の便宜のため、２つの折込片（２２、２３）をそれぞれ第１折込片２２及び第２折込片２３とも称する。２つの折込片（２２、２３）は前側壁１２側に設けられている。
【００４２】
第１折込片２２は、前側壁１２及び右側壁１４の隣接する端縁間に配置される。具体的には、第１折込片２２は、折れ線Ｌ５を介して前側壁１２の端縁に連結し、折れ線Ｌ１１を介して右側壁１４の端縁に連結している。また、第１折込片２２には、底板１１の隅部Ｄに当接する角部を二分する折れ線Ｌ１９が設けられている。これにより、図２及び図３に例示されるように、前側壁１２及び右側壁１４を底板１１に対して折り立てた場合に、第１折込片２２は、折れ線Ｌ１９に沿って折り曲げられて、包装箱１の内側に折り込まれるように構成されている。
【００４３】
同様に、第２折込片２３は、前側壁１２と左側壁１５との隣接する端縁間に配置される。具体的には、第２折込片２３は、折れ線Ｌ６を介して前側壁１２の端縁に連結し、折れ線Ｌ１４を介して左側壁１５の端縁に連結している。また、第２折込片２３には、底板１１の隅部Ｃに当接する角部を二分する折れ線Ｌ２０が設けられている。これにより、前側壁１２及び左側壁１５を底板１１に対して折り立てた場合に、第２折込片２３は、折れ線Ｌ２０に沿って折り曲げられて、包装箱１の内側に折り込まれるように構成されている。
【００４４】
ここで、第１折込片２２は、前側壁１２及び右側壁１４の隣接する端縁と底板１１の隅部Ｄとの間を塞いでいる。また、第２折込片２３は、前側壁１２及び左側壁１５の隣接する端縁と底板１１の隅部Ｃとの間を塞いでいる。すなわち、第１折込片２２及び第２折込片２３によって、前側壁１２側の底板１１の隅部（Ｃ、Ｄ）に隙間が生じないようになっている。これにより、本実施形態では、前側壁１２側の底板１１の隅部（Ｃ、Ｄ）からの液漏れを防止することができる。
【００４５】
なお、両折込片（２２、２３）は、各側壁の端縁全域に連結している。しかしながら、液漏れ防止するためには、両折込片（２２、２３）は、底板１１の隅部側で各側壁の端縁と連結していれば足りる。そのため、両折込片（２２、２３）は、各側壁の端縁の上端側の一部で連結していなくてもよい。
【００４６】
また、両折込片（２２、２３）は、包装箱１の内部に折り込まれた状態（図２及び図３で例示される状態）で隣接する側壁の一方の内壁に接着されてもよい。ただし、前側壁１２を前方に開いて収納物を取り出しやすくするためには、前側壁１２が折れ線Ｌ１を軸に回動可能なように、両折込片（２２、２３）は、いずれの側壁の内壁にも接着されないのが好ましい。
【００４７】
本実施形態に係る包装箱１は、以上のような構成要素を備えることで、底板１１の４つの隅部Ａ〜Ｄからの液漏れを防止することができる。特に、この包装箱１では、各延長片（２０、２１）の一部に各隅部（Ａ、Ｂ）からの液漏れを防止する部分が形成されるため、各延長片（２０、２１）の設けられる側壁に液漏れを防止する折込片を別個設けなくてよい。よって、本実施形態では、シンプルな構成で液漏れ防止を可能にする包装箱１を形成することができる。
【００４８】
§２  組み立て方法
次に、包装箱１を組み立てる方法の一例として、図１の紙面手前側方向を向いた面が包装箱１の外面となるように、箱原板１０から包装箱１を組み立てる方法を説明する。ただし、以下で説明する包装箱１の組み立て方法は、この箱原板１０を組み立てる方法の一例に過ぎず、実施の形態に応じて、適宜、工程の省略、置換、及び、追加が可能である。また、図１の紙面手前側方向を向いた面が包装箱１の内面となるように包装箱１を組み立ててもよい。なお、以下の説明では、説明の便宜のため、包装箱１の各構成要素について、図１の紙面手前側方向を向いた面を各構成要素の表面と称し、図１の紙面奥側方向を向いた面を各構成要素の裏面と称することとする。
【００４９】
まず、１枚のシートを打ち抜いて図１で例示される箱原板１０の外形を形成する。そして、各切断線に沿って、箱原板１０の所定の領域を切断する。この工程において、切断線Ｓ１〜Ｓ３に沿って切断することで、第１延長片２０が後側壁１３及び蓋板１６から切り離される。ただし、第１延長片２０は、後側壁１３から完全に切り離されるのではなく、切断線Ｓ１に沿って切断されることで、連結する領域（折れ線Ｌ７）を残して後側壁１３から切り離される。そして、切断線Ｓ１の端部から折れ線Ｌ１７に向かうように切断線Ｓ２に沿って切断することで、第１延長片２０に切り込み部２０３が形成される。
【００５０】
また、切断線Ｓ４〜Ｓ６に沿って切断することで、第２延長片２１が後側壁１３及び蓋板１６から切り離される。第１延長片２０と同様に、第２延長片２１は、後側壁１３から完全に切り離されるのではなく、切断線Ｓ４に沿って切断されることで、連結する領域（折れ線Ｌ８）を残して後側壁１３から切り離される。そして、切断線Ｓ４の端部から折れ線Ｌ１８に向かうように切断線Ｓ５に沿って切断することで、第２延長片２１に切り込み部２１３が形成される。
【００５１】
更に、第１延長片２０の端部に上端側から切れ込みを入れることで係合溝２０５を形成する。同様に、第２延長片２１の端部に下端側から切れ込みを入れることで係合溝２１５を形成する。そして、切断線Ｓ７及びＳ８に沿って切断することで、前側壁１２に一対のスリット１２１を形成する。
【００５２】
次に、箱原板１０の各部分を各折れ線に沿って折り曲げていくことで、包装箱１の形を形成していく。ここで、本実施形態では、包装箱１の所定部位の糊付けは行われない。しかしながら、包装箱１はそのような例に限定される訳ではなく、包装箱１の所定部位の糊付けは行われてもよい。なお、糊付けに利用する糊には、公知の糊が利用可能である。
【００５３】
この工程において、例えば、各折れ線Ｌ１〜Ｌ４に沿って山折りすることで、図２及び図３で例示されるように、各側壁１２〜１５を底板１１に対して起立した状態にする。このとき、第１延長片２０は、折れ線Ｌ７及びＬ１０に沿って山折りされ、折れ線Ｌ１７に沿って谷折りされる。これにより、フラップ部２０４と後側壁１３との間に連結部２０２が折り込まれた状態になる。同様に、第２延長片２１は、折れ線Ｌ８及びＬ１３に沿って山折りされ、折れ線Ｌ１８に沿って谷折りされる。これにより、フラップ部２１４と後側壁１３との間に連結部２１２が折り込まれた状態になる。そして、この状態を維持するように、両係合溝（２０５、２１５）を互いに係合させ、両延長片（２０、２１）を互いに連結する。
【００５４】
また、第１折込片２２は、折れ線Ｌ５及びＬ１１に沿って山折りされ、折れ線Ｌ１９に沿って谷折りされることで、包装箱１の内側に折り込まれた状態になる。同様に、第２折込片２３は、折れ線Ｌ６及びＬ１４に沿って山折りされ、折れ線Ｌ２０に沿って谷折りされることで、包装箱１の内側に折り込まれた状態になる。
【００５５】
なお、山折りとは、図１の紙面手前側方向を向いた各部分の表面が凸になるように折ることである。また、谷折りとは、図１の紙面奥側方向を向いた裏面が凸になるように折ることである。この工程により、図２及び図３で例示されるように、底板１１及び各側壁１２〜１５に囲まれる包装箱１の収納空間が形成される。
【００５６】
最後に、食品等の収納物を包装箱１内に収納し、蓋板１６を用いて包装箱１の収納空間に封をする。具体的には、第１内蓋２５及び第２内蓋２６それぞれを折れ線（Ｌ１２、１５）に沿って山折りすることで、図２及び図３で例示されるように、包装箱１の収納空間に内蓋がそれぞれ形成される。そして、各折れ線（Ｌ９、Ｌ１６）に沿って蓋板１６を折り曲げて、差込片２４を一対のスリット１２１に差し込む。これにより、包装箱１の収納空間に封がなされる。
【００５７】
以上のように組み立てることで、図２及び図３で例示される包装箱１が形成される。なお、以上の各工程は、手動で行われてもよいし、組み立て装置によって自動で行われてもよい。この箱原板１０を組み立てる組み立て装置として、公知の組み立て装置を利用することができる。
【００５８】
［作用・効果］
以上のとおり、本実施形態によれば、各延長片（２０、２１）の一部に各隅部（Ａ、Ｂ）からの液漏れを防止する部分が形成されるため、各延長片（２０、２１）の設けられる側壁に液漏れを防止する折込片を別個設けなくてよい。そのため、本実施形態では、シンプルな構成で液漏れ防止を可能にする包装箱１を形成することができる。
【００５９】
特に、この液漏れを防止する部分である各連結部（２０２、２１２）は単純な工程で形成することができる。すなわち、後側壁１３に沿って各延長片（２０、２１）を切り離す工程において、各延長片（２０、２１）を後側壁１３から完全に切り離すのではなく、途中から切断する方向を変えて切り込みを入れることで、各連結部（２０２、２１２）を形成することができる。そのため、後側壁１３に沿って各延長片（２０、２１）を完全に切り離す工程を少し変更するだけで、各延長片（２０、２１）に各隅部（Ａ、Ｂ）からの液漏れを防止する部分を形成することができる。したがって、本実施形態によれば、簡易な構成でかつ簡易な工程で液漏れ防止を可能にする包装箱１を形成することができる。
【００６０】
また、本実施形態では、両係合溝（２０５、２１５）により両延長片（２０、２１）を互いに連結することで、包装箱１の組み立てた状態を維持することができる。そのため、接着剤を用いずに包装箱１の組み立てを行うことができる。なお、係合溝を有する延長片を設ける位置は、本実施形態のように後側壁１３側の端縁に限定されず、実施の形態に応じて適宜選択されてもよい。ただし、本実施形態のように、蓋板１６が後側壁１３に連結されており、包装箱１の手前側から奥側に開くように開封する構造を包装箱１が有する場合には、包装箱１の奥側に力がかかりやすくなってしまう。そのため、包装箱１の奥側で固定し、開封した状態での包装箱１の形状を安定させるように、後側壁１３側の端縁に係合溝を有する延長片が設けられるのが好ましい。
【００６１】
§３  変形例
以上、本発明の実施形態を説明してきたが、前述までの説明はあらゆる点において本発明の例示に過ぎない。本発明の範囲を逸脱することなく種々の改良や変形を行うことができることは言うまでもない。
【００６２】
＜延長片＞
上記実施形態では、各延長片（２０、２１）は係合片として設けられている。しかしながら、延長片の形状は、このような例に限定されなくてもよく、実施の形態に応じて適宜決定されてもよい。例えば、延長片は、側壁の内側の面に貼着する貼着片として設けられてもよい。図４〜図７を用いて当該変形例を説明する。
【００６３】
図４は、変形例に係る包装箱１Ａを展開した状態（箱原板１０Ａ）を例示する。図５は、変形例に係る包装箱１Ａの正面から見た状態を例示する。図６は、変形例に係る包装箱１Ａの横から見た状態を例示する。図７は、変形例に係る包装箱１Ａを折り畳んだ状態を例示する。なお、以下の説明では、図１と同様に、説明の便宜のために、包装箱１Ａの各構成要素について、図４の紙面手前側方向を向いた面を各構成要素の表面と称し、図４の紙面奥側方向を向いた面を各構成要素の裏面と称することとする。
【００６４】
ここで、本変形例に係る包装箱１Ａは、上記実施形態に係る包装箱１とほぼ同様の方法で組み立てることができる。そのため、本変形例に係る包装箱１Ａにおいて、上記実施形態に係る包装箱１と同様に説明可能な構成要素については同じ符号を付し、上記実施形態に係る包装箱１と同様に説明可能な部分については説明を省略する。
【００６５】
図４〜図７で例示される包装箱１Ａでは、後側壁１３側に設けられる各延長片（２０Ａ、２１Ａ）のフラップ部（２０４Ａ、２１４Ａ）の形状が上記実施形態に係る包装箱１と相違している。具体的には、本変形例に係るフラップ部（２０４Ａ、２１４Ａ）はそれぞれ、上記実施形態に係るフラップ部（２０４、２１４）よりも短くなっており、係合溝を有していない。本変形例では、各フラップ部（２０４Ａ、２１４Ａ）を後側壁１３に接着することで、包装箱１Ａが形成される。より詳細には、各フラップ部（２０４Ａ、２１４Ａ）の表面を後側壁１３の裏面に貼り付けることで、図５及び図６で例示される包装箱１Ａが組み立てられる。
【００６６】
ここで、各フラップ部（２０４Ａ、２１４Ａ）の表面の全領域を後側壁１３に接着してもよい。しかしながら、本変形例では、各フラップ部（２０４Ａ、２１４Ａ）の表面において、後側壁１３に接着しない非接着領域が設けられる。具体的には、各折れ線（Ｌ１７Ａ、Ｌ１８Ａ）に連続する折れ線（Ｌ１７Ｂ、Ｌ１８Ｂ）によって、各フラップ部（２０４Ａ、２１４Ａ）の領域を分割する。そして、各フラップ部（２０４Ａ、２１４Ａ）の後側壁１３側の領域をそれぞれ接着領域（２０４２、２１４２）として構成し、他方の領域をそれぞれ非接着領域（２０４１、２１４１）として構成する。各接着領域（２０４２、２１４２）は本発明の「接着部分」に相当し、各非接着領域（２０４１、２１４１）は本発明の「非接着部分」に相当する。
【００６７】
本変形例では、各接着領域（２０４２、２１４２）を後側壁１３に接着し、各非接着領域（２０４１、２１４１）を後側壁１３に接着しないようにする。すなわち、図５で例示されるように、第１延長片２０Ａを折れ線Ｌ１０に沿って山折りした後、非接着領域２０４１の表面を後側壁１３の裏面に貼り付けず、接着領域２０４２の表面を後側壁１３の裏面に貼り付ける。同様に、第２延長片２１Ａを折れ線Ｌ１３に沿って山折りした後、非接着領域２１４１の表面を後側壁１３の裏面に貼り付けず、接着領域２１４２の表面を後側壁１３の裏面に貼り付ける。なお、この場合、各連結部（２０２、２１２）の裏面がそれぞれ後側壁１３の裏面に当接する。
【００６８】
これによって、各延長片（２０Ａ、２１Ａ）を後側壁１３に貼り付けた後であっても、各非接着領域（２０４１、２１４１）が固定されていない分だけ、図６で例示されるように、箱本体を前後に変形させることができる。
【００６９】
更に、各側壁（１４、１５）と底板１１とが略面一になるように、各側壁（１４、１５）を各折れ線（Ｌ３、Ｌ４）に沿って山折りした場合に、図７で例示されるように、各延長片（２０Ａ、２１Ａ）は、後側壁１３と略面一になるように、各折れ線（Ｌ１７Ｂ、Ｌ１８Ｂ）に沿って山折りにすることができる。そのため、各延長片（２０Ａ、２１Ａ）を後側壁１３に貼り付けた後であっても、包装箱１Ａの組み立てに利用される折れ線以外に折れ線を設けることなく、包装箱１Ａを略面一に折り畳むことができる。
【００７０】
なお、各連結部（２０２、２１２）は、後側壁１３に接着されてもよいし、接着されなくてもよい。また、延長片の設ける箇所は、上記実施形態及び変形例のように、後側壁１３側に限定されなくてもよく、底板１１の４つの隅部Ａ〜Ｄの少なくとも何れかに対応するように設けられればよい。更に、延長片の数は実施の形態に応じて適宜選択されてもよい。
【００７１】
図８は、変形例に係る包装箱を展開した状態（箱原板１０Ｂ）を例示する。図８で例示されるように、前側壁１２側に延長片が設けられてもよい。なお、各延長片（２２Ａ、２３Ａ）は、各延長片（２０Ａ、２１Ａ）と同様の構成を有する。そのため、説明を省略する。
【００７２】
＜その他＞
また、上記包装箱１の各構成要素に関して、実施の形態に応じて、適宜、構成要素の省略、置換、及び追加が行われてもよい。更に、上記包装箱１の各構成要素の形状及び大きさも、実施の形態に応じて、適宜、設定されてもよい。
【００７３】
例えば、上記実施形態では、包装箱の外蓋として、１つの蓋板１６が設けられている。しかしながら、包装箱１の上端を閉じる必要がない場合には、この蓋板１６は省略されてもよい。また、図８で例示されるように、２つに分けて包装箱の外蓋が設けられてもよい。図８で例示される箱原板１０Ｂでは、後側壁１３に第１蓋部２７が連設されており、前側壁１２に第２蓋部２８が連設されている。第２蓋部２８の前側壁１２と反対側の端縁には、差込片２８１が設けられている。そして、これに対応して、第１蓋部２７には開口部２７１が設けられている。差込片２８１は、折れ線Ｌ２２及びＬ２３に沿って折り曲げることができ、切断線Ｓ９に沿って切断することで形成される凸部を開口部２７１に差し込むことができるように構成されている。すなわち、第２蓋部２８の差込片２８１の凸部を第１蓋部２７の開口部２７１に差し込むことで、箱原板１０Ｂから組み立てられる包装箱の封をすることができる。
【符号の説明】
【００７４】
１…包装箱、１０…箱原板、
１１…底板、
１２…前側壁、１２１…スリット、
１３…後側壁、１４…右側壁、１５…左側壁、１６…蓋板、
２０、２０Ａ…第１延長片、
２０１…角部、２０２…連結部、２０３…切り込み部（切断線）、
２０４、２０４Ａ…フラップ部、２０４１…非接着領域、２０４２…接着領域、
２０５…係合溝、
２１、２１Ａ…第２延長片、
２１１…角部、２１２…連結部、２１３…切り込み部（切断線）、
２１４、２１４Ａ…フラップ部、２１４１…非接着領域、２１４２…接着領域、
２１５…係合溝、
２２…第１折込片、２２Ａ…延長片、
２３…第２折込片、２３Ａ…延長片、
２４…差込片、２５…第１内蓋、２６…第２内蓋、
２７…第１蓋部、２７１…開口部、
２８…第２蓋部、２８１…差込片、
Ａ〜Ｄ…（底板の）隅部、
Ｌ１〜Ｌ２３…折れ線、Ｓ１〜Ｓ９…切断線
【図１】
2015205709.tif 000003
【図２】
2015205709.tif 000004
【図３】
2015205709.tif 000005
【図４】
2015205709.tif 000006
【図５】
2015205709.tif 000007
【図６】
2015205709.tif 000008
【図７】
2015205709.tif 000009
【図８】
2015205709.tif 000010